(57)【特許請求の範囲】
【請求項１】
留守番電話機において、
録音された用件メッセージと、回線から送られてきた発呼者電話番号とを対応付けて記憶する記憶手段と；
回線より送られてくる第１の信号に基づいて、録音されている用件メッセージを再生する用件メッセージ再生手段と；
用件メッセージ再生中に回線より送られてくる第２の信号の検出に応答して、用件メッセージの再生を停止し、この再生を停止した用件メッセージに対応する上記発呼者電話番号を音声データとして回線に送出する音声データ送出手段と；
上記音声データ送出手段により上記音声データの送出が終了すると、次の用件メッセージからメッセージ再生を再開する再生再開手段と；
を有することを特徴とする留守番電話機。
【発明の詳細な説明】
【０００１】
【発明の属する技術分野】
本発明は、着信時に発呼者電話番号が送られてくる電話回線に接続される留守番電話機に関する。
【０００２】
【従来の技術】
従来の留守番電話機において、留守録された用件メッセージを遠隔地からのリモート操作によって聞くことができるものが提供されている。
【０００３】
すなわち、この留守番電話機では、外出先等から留守番電話機に録音されている用件メッセージを聞こうとした場合、まず留守番電話機に電話をかけ、留守番電話機が応答してからＤＴＭＦによる再生コマンドを送出することにより、留守番電話機が録音されている用件メッセージを再生する、これにより、用件メッセージを聞くことができる。
【０００４】
【発明が解決しようとする課題】
しかしながら、上述のような留守番電話機において、外出先等から用件メッセージを聞いた場合、これに対応するために、その相手へ電話をかけようとしても、こちらが予め相手の電話番号を知っているか、または相手が用件メッセージに電話番号を吹き込んでくれなければ、電話番号を知ることができず、電話をかけることができなかった。
【０００５】
本発明は、留守録された用件メッセージを遠隔地からのリモート操作によって聞いた場合、その相手先の電話番号も知ることができ、さらに、不要なメッセージ再生を無くすことを目的とする。
【０００６】
【課題を解決するための手段】
本発明は、留守番電話機において、録音された用件メッセージと、回線から送られてきた発呼者電話番号とを対応付けて記憶する記憶手段と、回線より送られてくる第１の信号に基づいて、録音されている用件メッセージを再生する用件メッセージ再生手段と、用件メッセージ再生中に回線より送られてくる第２の信号の検出に応答して、用件メッセージの再生を停止し、該用件メッセージに対応する上記発呼者電話番号を音声データとして回線に送出する音声データ送出手段と、上記音声データ送出手段により上記音声データの送出が終了すると、次の用件メッセージからメッセージ再生を再開する再生再開手段とを有することを特徴とする。
【０００７】
これにより、外出先等から、再生した用件メッセージを録音した相手の電話番号を知ることができ、さらに、発呼者電話番号通知後は、再生を停止した用件メッセージを飛ばして次の用件メッセージから再生するので、不要なメッセージ再生を無くすことができる。
【０００８】
【発明の実施の形態および実施例】
図１は、本発明の一実施例における留守番電話機の構成を示すブロック図である。
【０００９】
この留守番電話機１０１は、装置全体を制御するＣＰＵ１０２と、このＣＰＵ１０２の制御プログラムや応答メッセージ用の音声データを格納したＲＯＭ１０３と、上記ＣＰＵ１０２のワークエリアや音声データ、電話回線から送られてくる発信者電話番号等の格納エリアとして用いられるＲＡＭ１０４を有する。
【００１０】
また、この留守番電話機１０１には、各種入力操作を行うための操作部１０５と、各種表示を行うための表示部１０６と、電話回線からの音声信号を音声データにＡ／Ｄ変換したり、ＲＯＭ１０３やＲＡＭ１０４に格納されている音声データを音声信号Ｄ／Ａ変換したり、また電話回線から送られてくる発信者電話番号等を受信するためのモデム１０７と、電話回線を受話器１０９かモデム１０７のどちらか一方に接続するか、もしくは開放するための網制御回路１０８と、電話回線からの呼出信号を検出するための呼出信号検出回路１１０等が設けられている。
【００１１】
次に、図２のフローチャートに従って、留守番電話機に用件メッセージが録音される動作について説明する。
【００１２】
通常、電話回線はＮＣＵ１０８を介して受話器１０９と接続されている。オペレータは、操作部１０５からの操作で留守番電話機１０１を待機状態にする。
【００１３】
この状態で電話がかかってくると、呼出信号検出回路１１０により呼出信号が検出され（Ｓ２０１）、網制御回路１０８によって回線を一旦閉結する（Ｓ２０２）。そして、回線から送られてくる発信者電話番号データをモデム１０７で受信し（Ｓ２０３）、それをＲＡＭ１０４に一時的に格納する（Ｓ２０４）。
【００１４】
その後、回線を開放すると（Ｓ２０５）、回線から再び呼出信号が送出されるので、呼出信号検出回路１１０により呼出信号を検出し（Ｓ２０６）、網制御回路１０８によって回線を閉結する（Ｓ２０７）。そこで、ＲＯＭ１０３から応答メッセージ用の音声データが読み出され、モデム１０７を通して音声信号に変換されて回線に送出される（Ｓ２０８）。
【００１５】
応答メッセージを送出し終えると（Ｓ２１０）、用件メッセージの録音を開始する（Ｓ２１１）。ここで、回線からの音声信号はモデム１０７によって音声データに変換されてからＲＡＭ１０４に格納される。発信者のメッセージ終了を検出すると（Ｓ２１２）、ＲＡＭ１０４に一時的に格納さている発信者電話番号データを音声データと対応付けてＲＡＭ１０４に格納し（Ｓ２１３）、回線を開放する（Ｓ２１４）。
【００１６】
次に、図２および図３のフローチャートに従って、外出先から留守番電話機に録音されている用件メッセージを聞く動作について説明する。
【００１７】
図２において、留守番電話機に電話がかかってくると、呼出信号検出回路１１０により呼出信号が検出され（Ｓ２０１）、網制御回路１０８によって回線を一旦閉結する（Ｓ２０２）。そして、回線から送られてくる発信者電話番号データをモデム１０７で受信し（Ｓ２０３）、それをＲＡＭ１０４に一時的に格納する（Ｓ２０４）。
【００１８】
その後、回線を開放すると（Ｓ２０５）、回線から再び呼出信号が送出されるので、呼出信号検出回路１１０により呼出信号を検出し（Ｓ２０６）、網制御回路１０８によって回線を閉結する（Ｓ２０７）。そこで、ＲＯＭ１０３から応答メッセージ用の音声データが読み出され、モデム１０７を通して音声信号に変換されて回線に送出きれる（Ｓ２０８）。
【００１９】
応答メッセージ送出中にＤＴＭＦ信号によるリモートコマンドをモデム１０７が検出すると（Ｓ２０９）、図３において、応答メッセージの送出を停止し、暗証番号の入力を促す音声メッセージを送出する（Ｓ３０１）。ここで、モデム１０７がＤＴＭＦ信号によって入力された暗証番号を検出すると（Ｓ３０２）、予め留守番電話機に登録されている暗証番号と比較する。
【００２０】
そして、この比較の結果、一致すると（Ｓ３０３）、各種操作コマンド待ち状態となり、ここで、ＤＴＭＦ信号による再生コマンドが入力されると（Ｓ３０４）、用件メッセージが録音されている場合は（Ｓ３０５）、ＲＡＭ１０４に格納されている用件メッセージの音声データが読み出され、モデム１０７によって音声信号に変換されてから回線に送出される（Ｓ３０６）。
【００２１】
この用件メッセージ再生中にモデム１０７がＤＴＭＦ信号による発信者電話番号コマンドを検出すると（Ｓ３０７）、用件メッセージ再生を停止し、その用件メッセージと対応付けられている発信者電話番号データをＲＡＭ１０４から１桁ずつ読み出して（Ｓ３１０）、ＲＯＭ１０３内の変換テーブルからその数字に対応する音声データを取り出し（Ｓ３１１）、モデム１０７によって音声信号に変換し、回線に送出する（Ｓ３１２）。そして、この送出後、次の用件メッセージがある場合は、その再生を行う（Ｓ３０９）。
【００２２】
このような動作を繰り返し、全ての用件メッセージの処理を終わると、用件メッセージのリモート再生動作を終了する。
【００２３】
以上のように本実施例では、用件メッセージ再生中の発信者電話番号コマンドの検出により、用件メッセージ再生を停止して、発信者電話番号を送出することから、遠隔地のオペレータは、用件メッセージを最後まで聞くことなく、発信者電話番号を聞くことができ、迅速な対応を可能とするとともに、電話番号を聞かなくてもよい相手については、発信者電話番号コマンドを送らずに、用件だけ聞くことができ、便利な装置を提供することができる。
【００２４】
なお、以上のように、発信者電話番号コマンドに応じて発信者電話番号を送出するのでなく、各用件メッセージに対応する発信者電話番号がある場合には、その用件メッセージの後に自動的に発信者電話番号を続けて送出するように構成してもよい。
【００２５】
また、以上の実施例では、単体の電話機に留守番機能を設けた構成について説明したが、例えば通信機能を設けたパーソナルコンピュータ等に留守番機能を搭載して構成した留守番電話装置等も本発明の範囲に含まれるものである。
【００２６】
また、以上の実施例では、ＲＯＭ１０３に格納した制御プログラムをＣＰＵ１０２が解読して上述した実施例の動作を実行するようにしているが、この代わりに、例えばフロッピディスクやハードディスク、光ディスクやメモリカード等の外部記憶媒体に上述した動作を実行するための制御プログラムを格納し、これを専用の読取装置で電話機内に取り込み、例えば上述したＲＡＭ１０４に記憶させて実行することにより、これをＣＰＵ１０２が実行するようにしてもよい。
【００２７】
【発明の効果】
本発明によれば、外出先等から、再生した用件メッセージを録音した相手の電話番号を知ることができ、さらに、発呼者電話番号通知後は、再生を停止した用件メッセージを飛ばして次の用件メッセージから再生するので、不要なメッセージ再生を無くすことができる。
【図面の簡単な説明】
【図１】本発明の一実施例による留守番電話機を示すブロック図である。
【図２】上記実施例の動作を示すフローチャートである。
【図３】上記実施例の動作を示すフローチャートである。
【符号の説明】
１０１…留守番電話機、
１０２…ＣＰＵ、
１０３…ＲＯＭ、
１０４…ＲＡＭ、
１０５…操作部、
１０６…表示部、
１０７…モデム、
１０８…モデム、
１０９…受話器、
１１０…呼出信号検出回路。
【図１】
0003715770.tif 000002
【図２】
0003715770.tif 000003
【図３】
0003715770.tif 000004